(57)【要約】【課題】１  筆記具や紙やゲーム印刷体を粘着で取りつけ剥離できるシートある粘着体の提供。２  この粘着体を利用した、車の運転席、ベッドで盤ゲームなどできる構造の提供。３  また粘着体を利用する用具の提供。【解決手段】１  アクリルスポンジの如く粘着及び剥離するシートの片面にクリップ、筒、ゲーム盤印刷体から選ばれた１つを粘着等の手段でつける。２  運転席のガラス枠、天井部やベッドの側面、天井部に滑面部構造を設ける。３  滑面部と支持部からなる滑面体具とする。【選択図】  図１
2005344923.tif 000002
【特許請求の範囲】
【請求項１】
アクリルスポンジの如く粘着及び剥離するシートの片面にクリップ、筒、ゲーム盤印刷体から選ばれた１つを粘着等の手段でつけ、該シートの反対面が粘着及び剥離する機能を有することを特徴とする粘着剥離体。
【請求項２】
アクリルスポンジの如く粘着及び剥離するシートの片面に筆記具キャップの如きクリップ付き筒を粘着等の手段でつけ、該シートの反対面が粘着及び剥離する機能を有することを特徴とするクリップ付き筒の粘着剥離体。
【請求項３】
アクリルスポンジの如く粘着及び剥離するシートの片面にゲーム盤印刷体があり該シートの反対面が粘着及び剥離する機能を有することを特徴とする粘着剥離体。
【請求項４】
アクリルスポンジの如く粘着及び剥離するシートの片面にゲーム盤等を印刷した紙またはプラスチックを貼り合わせた該シートの反対面が粘着及び剥離する機能を有することを特徴とする粘着剥離体。
【請求項５】
建設機械や乗用車などの運転席のガラス枠または天井部にアクリルスポンジの如く粘着及び剥離するシートからなる粘着剥離体を取りつけるための滑面部を有する構造であることを特徴とする運転席滑面部構造。
【請求項６】
ベッドの側面または天井部にアクリルスポンジの如く粘着及び剥離するシートからなる粘着剥離体を取りつけるための滑面部を有する構造であることを特徴とするベッド滑面部構造。
【請求項７】
アクリルスポンジの如く粘着及び剥離するシートの片面にクリップ、筒、ゲーム盤印刷体から選ばれた１つを粘着等の手段でつけ、該シートの反対面が粘着及び剥離する機能を有する粘着剥離体と組み合わせるための滑面部と支持部からなることを特徴とする滑面体具。
【請求項８】
アクリルスポンジの如く粘着及び剥離するシートの片面にクリップ、筒、ゲーム盤印刷体から選ばれた１つを粘着等の手段でつけ、該シートの反対面が粘着及び剥離する機能を有する粘着剥離体と組み合わせるための滑面部とフレキシブル支持部及び照明部からなることを特徴とする滑面体具。
【発明の詳細な説明】
【技術分野】
【０００１】  粘着及び剥離するシートとクリップ、筒、ゲーム盤印刷体との結合に関する。詳しくは紙やビニルや金属などの滑面に貼れる粘着及び剥離するシートに紙挿しや筆記具保持やゲームなどができる機能を持たせる提案である。また、あわせて粘着及び剥離するシートと対応する滑面部を利用する滑面部構造や滑面体具を提案する。
【背景技術】
【０００２】  ゼムクリップ等のクリップはメモや書類等の紙を保持できる。
本出願人はゼムクリップを台紙片に係止し、壁に貼ればメモを片手でクリップ隙間に保持できることを見いだしている。筆記具用のキャップ種類やメモ挟み用のクリップは公知である。手帳やノートに孔や隙間を設けそこに筆記具を取りつける提案は古くからある。
ゼムクリップと粘着ラベルを利用したノートやカレンダーや運転席周辺や壁面等に貼り付け自由な保持具は本出願人が提案している。粘着ラベルを自己粘着のシートに改良すれば剥離が自由になり、移動機能できることを見いだした。【０００３】  キャップは筆記具のペン先を入れる保護具である。クリップ付きキャップは胸ポケットやノートに取付ができる。実用新案公開平６−５９８９や実用新案公開平６−１７９８９や特許公開２００２−３４７３８６の如く筆記具を固定装着する提案がある。【０００４】  アクリルスポンジは粘着剥離するのでこれを、打ち抜き碁石や駒にする提案もある。しかし、壁面を利用した盤ゲームやカード遊びの用具は見あたらない。【０００５】  建設機械や乗用車などの運転席のガラス枠または天井部に筆記具や紙片等を保持できる適当な運転席構造はなかった。【０００６】  ベッドで寝ころびながら、字を書く際の筆記具や紙片等を保持できる適当な用具やベッドの構造はなかった。さらに、ベッドで寝ころびながら盤ゲームやカード遊び等ができるベッド構造はなかった。【０００７】  フレキシブル支持具を有する光ファイバーや螢光灯等のスタンドは多い。しかしこれに筆記具やメモを貼ったり、ゲームをする滑面体を有するスタンド等は見あたらない。【０００８】
【特許文献１】特許公開２００４−１１３７２１
【特許文献２】特許公開２００３−３３９４３４
【特許文献３】特許公開２００２−１９２８６１
【特許文献４】特許公開２００２−３４７３８６
【特許文献５】特許公開２００２−３０７８８３
【特許文献６】特許公開２００２−３０１８８７
【特許文献７】実用新案登録第３０６９１０７
【特許文献８】実用新案公開平６−５９８９
【特許文献９】実用新案公開平６−１７９８９
【特許文献１０】実用新案公開平７−０３９８７７
【発明の開示】
【発明が解決しようとする課題】
【０００９】  解決しようとする課題は、筆記具や紙やゲーム印刷体を冷蔵庫ドアや事務機、パソコン、建築物壁などの壁面、及びノートや手帳やカレンダー、フアイルに粘着で取りつけられ、また簡単に剥離できるシートである粘着体の提供である。【００１０】  上記課題に関連し、建設機械や乗用車などの車の運転席のガラス枠または天井部、あるいはベッドで筆記具や紙を貼り、盤ゲームやカードゲームができる構造を第２の課題とする。
さらに該課題の粘着体を利用する用具の提供を第３の課題とする。
【課題を解決するための手段】
【００１１】  上記の課題を解決する手段は下記である。
１  アクリルスポンジの如く粘着及び剥離するシートの片面にクリップ、筒、ゲーム盤印刷体から選ばれた１つを粘着等の手段でつけ、該シートの反対面が粘着及び剥離する機能を有することを特徴とする粘着剥離体。
２  アクリルスポンジの如く粘着及び剥離するシートの片面に筆記具キャップの如きクリップ付き筒を粘着等の手段でつけ、該シートの反対面が粘着及び剥離する機能を有することを特徴とするクリップ付き筒の粘着剥離体。
３  アクリルスポンジの如く粘着及び剥離するシートの片面にゲーム盤印刷体があり該シートの反対面が粘着及び剥離する機能を有することを特徴とする粘着剥離体。
４  アクリルスポンジの如く粘着及び剥離するシートの片面にゲーム盤等を印刷した紙またはプラスチックを貼り合わせた該シートの反対面が粘着及び剥離する機能を有することを特徴とする粘着剥離体。【００１２】  第２の課題を解決する手段は下記になる。
５  建設機械や乗用車などの運転席のガラス枠または天井部にアクリルスポンジの如く粘着及び剥離するシートからなる粘着剥離体を取りつけるための滑面部を有する構造であることを特徴とする運転席滑面部構造。
６  ベッドの側面または天井部にアクリルスポンジの如く粘着及び剥離するシートからなる粘着剥離体を取りつけるための滑面部を有する構造であることを特徴とするベッド滑面部構造。【００１３】  第３の課題を解決する手段は下記になる。
７  アクリルスポンジの如く粘着及び剥離するシートの片面にクリップ、筒、ゲーム盤印刷体から選ばれた１つを粘着等の手段でつけ、該シートの反対面が粘着及び剥離する機能を有する粘着剥離体と組み合わせるための滑面部と支持部からなることを特徴とする滑面体具。
８  アクリルスポンジの如く粘着及び剥離するシートの片面にクリップ、筒、ゲーム盤印刷体から選ばれた１つを粘着等の手段でつけ、該シートの反対面が粘着及び剥離する機能を有する粘着剥離体と組み合わせるための滑面部とフレキシブル支持部及び照明部からなることを特徴とする滑面体具。【００１４】  上記の如く、アクリルスポンジ等のような粘着剥離できるシートを利用して本発明課題を解決できる。スポンジや紙などのシートに特殊粘着剤を塗布した粘着剥離できるシートは公知である。０・５ミリから５ミリのシートを利用が好ましい。
このアクリルスポンジ等のシートにクリップ、筒、ゲーム盤印刷体などを結合すればよい。アクリルスポンジは厚みと弾力性があり皴にならないで粘着しやすく剥離できる。つまみやすく、粘着剥離機能がよい。【００１５】  アクリルスポンジは滑面体に貼ったり剥がせたりできる。艶紙、ビニル、タイル、鏡、ガラス、冷蔵庫等の滑面部に何回も貼ったり剥がせたりできる。スポンジなのでクッション性がよく押しつけながら何回も貼ったり剥がせたりできる。
滑面体利用を条件とした滑面体構造や滑面体用具で第２と第３の課題を解決できる。
【発明の効果】
【００１６】  粘着及び剥離するシートに、紙挿しなどのクリップや筆記具挿し込み保持やゲームなどができる機能を付与できる。粘着及び剥離するシートと対応する滑面部を利用した滑面部構造や滑面体具を提案できる。
本発明品は粘着剥離できるシート利用なので紙やプラスチック金属面等の滑面部に粘着および剥離ができる。またクリップまたは筒等が付いているので筆記具や紙を保持、取り外しが自由である。
スポンジは弾力性があり押しつけることができ粘着し易い。スポンジシートであれば貼る対象が凹凸であっても対応ができやすい。【００１７】  筒等は筆記具や類似したものを差し込める。筒等は筆記具のキャップを利用できる。この時クリック付きキャップを利用すればメモも筆記具も保持できる。【００１８】  本発明品の粘着及び剥離するシートの片面にゼムクリップ粘着剥離できる保持体は粘着剥離できるクリップ体になる。クリップ部に筒や箱も付けることができる。パソコン、他の器具周辺の滑面部やその他カレンダーなどの紙、鏡、冷蔵庫などの滑面に粘着でき、かつ剥離ができる。運転席やベッド周辺の壁面体にも利用できる。【００１９】  壁面に粘着すれば、ゼムクリップ等のクリップにカードやメモを差し込み外せる。
粘着面を外してカードやメモをつけたまま他へ移動もできる。
カレンダー等の表面に粘着し予定行動メモを差し込み差し替えることができる。
本発明品を箱の隅にクリップ止めすれば箱を壁面に粘着剥離ができる。テッシュボックスにクリップすれば壁面にテッシュボックスを取り付けできる。
テッシュがなくれば空ボックスから本発明品を外して新しいテッシュボックスに取り付ければ何回も使用できる。【００２０】  クリップに筒を取りつけてここに筆記具などを差し込み保持もできる。
すなわち、クリップ部に筒を入れれば粘着剥離ができる筆記具もメモも差し込めるシートを得られる。【００２１】  運転席に座りながら、またはベッドで横になりながら囲碁将棋などのゲームができれば便利である。本発明では粘着シートを取りつけるための光沢ビニル部、プラスチック部、タイル部、金属部、その他の滑面部を運転席天井やベッド周囲の壁面体などに設けてある。クリップ付きなのでケイ線印刷艶紙の盤をクリップに保持し円形に打ち抜いた粘着体を利用すれば囲碁五目はできるが、将棋は困難である。粘着及び剥離するシートの片面にゲーム盤等を印刷すれば良い。両面とも粘着できるので紙駒を粘着できるので駒を裏返し粘着できる。【００２２】  本発明品は粘着剥離シートにクリップがあるので紙やプラスチック製の薄いゲーム盤を差し込める。ここに粘着剥離できるスポンジの碁石等で囲碁などの盤ゲームができる。運転席天井やベッド周辺の壁面を利用してゲームができる。
家族や友人と運転席で粘着剥離を利用して遊べる。同様にベットで横になりながらでも粘着剥離を利用して遊べる。もちろん一人で詰め物や名局研究も可能である。クリップを利用してトランプなどのカード遊びを壁面で行える。【００２３】  請求項１記載の効果はノートや手帳、壁面、その他に筆記具やメモクリップ貼ったり剥がしたりできるシートを提供する。【００２４】  請求項２記載の効果としては、筆記具とメモ用紙クリップがあるシートなのでメモ紙とボールペンをノートや壁面や貼ることができる。紙と筆記具をセット化できる。領収書整理用具、伝言板など各種利用できる。
上述効果と合わせて、筆記具付きの粘着及び剥離するシートを提供できる。【００２５】  請求項３記載の効果を述べる。両面とも粘着剥離可能ならシートの少なくとも片面にゲーム盤等を印刷した本発明品は、従来提案された粘着剥離できるスポンジを利用した駒や碁石ばかりでなく、そのような機能のない紙などを駒や碁石にできる。粘着剥離を利用した絵合わせやパズル、カードなど各種の遊びができる。トランプをシートに貼ったり剥がせるので壁面利用したトランプ占いやその他の遊びも可能になる。【００２６】  請求項４記載の効果を述べる。粘着スポンジを利用して楽しむ壁面に貼れるゲ−ム盤を提供できる。印刷した紙の盤を利用するので絵柄を自由にできる。【００２７】  請求項５記載の効果は、上述効果と合わせて、建設機械や乗用車などの運転席に筆記具や紙類を常備できる。メモも保持できる。また運転席で座りながら、手で感触を楽しむ盤ゲームができる。【００２８】  請求項６記載の効果は、ベッドで寝ころびながらメモ書やメモ整理ができる。また手で感触を楽しむ盤ゲームができる。【００２９】  請求項７記載の効果は、請求項１〜４記載の粘着剥離体専用の用具を提供できる。
支持部をスライドその他の公知手段で高さを滑面体位置を調整し、この滑面体に本発明の粘着剥離体を貼れる。【００３０】  請求項８記載の効果は、フレキシブル支持体があるので変形の角度にも調節できる。寝ころんで斜めの状態にもゲーム盤として利用できる。照明付きなのでゲーム盤ばかりでなく掲示板や筆記具を貼る板などの、板付き螢光灯スタンドになる。
【発明を実施するための最良の形態】
【００３１】  粘着剥離できるシートとしてスポンジの１ミリ厚さを選択するとよい。
クリップ例としてゼムクリップを係止した紙等を粘着するとよい。
係止部は紙などで被い外観を良くする。
粘着剥離できるシートに筆記具キャップ等を結合する。結合は粘着や接着などの手段を用いる。クリップと筒が同時にある。
ゲーム盤印刷体のゲーム盤は囲碁盤将棋盤チエス盤などのケイ線印刷でよい。
枠や壁面等にプラスチックフィルムを貼りこれを滑面部とすれば簡便である
本発明の粘着剥離体と滑面部構造は組み合わせて商品化する。また、本発明の粘着剥離体と滑面体具とも組み合わせて商品化する。滑面部構造や滑面体具の粘着剥離体は消耗などは必要に応じ新しいものと交換する。
【実施例】
【００３２】  以下本発明の実施例を図面を用いて説明する、図１から図６は粘着剥離体に関する。図１と図２はクリップや筒をつけた実施例説明図である。図３と図４はゲーム盤印刷体をつけた実施例説明図である。図５と図６はその他の説明図である。図７と図８は運転席滑面部構造の説明図である。図９図と図１０はベッド滑面部構造の説明図である。図１１と図１２は滑面体具の説明正面図である。
【実施例１】
【００３３】  図の１は筆記具等のキャップ４を粘着及び剥離するシート１に粘着材６を利用して結合させた実施例に係わる正面図である。図２は側面図である。筒２には筆記具５等を入れることができる。クリップ３にはメモやカードを挿し込み保持できる。【００３４】  図１と図２を用いて請求項２に係わる実施例を説明をする。
筆記具のキャップを両面粘着テープを用いてアクリルスポンジの１ミリ厚さシートに貼る。使用するキャップの形状はシートに貼る面を平らにすると貼りあわせる面積が多く好ましい。これに筆記具を差し込んでどこにでも貼る筆記具として商品化してもよい。シート１の表に商品宣伝印刷紙を貼り宣伝用品にもできる。
【実施例２】
【００３５】  図３は請求項３記載に係わる説明図である。両面が粘着剥離する粘着及び剥離するシート１の片面にケイ線などのゲーム盤印刷体１２があるゲーム盤１１である。ゲーム盤シート２４でもある。ゲーム盤等印刷する時はケイ線部分のみ印刷し粘着及び剥離機能は失われない。
このゲーム盤１１は粘着で貼れるので壁面をゲーム盤にできる。使用時には艶紙やビニルなどの素材を駒や碁石とする。もちろん裏にしても貼れる。利用する駒は紙やプラスチックの素材で作れるので将棋などもできる。トランプやカードも粘着できる。ゲーム盤シート２４を後述の図７、図８の運転席構造や図９、図１０ベッド構造の滑面部１７に貼ることもできる。
【実施例３】
【００３６】  図４は請求項４記載に係わる説明の図である。すなわち、粘着及び剥離するシート１の片面にゲーム盤を印刷した紙またはプラスチックを粘着材６を利用して貼り合わせてゲーム盤１１及びゲーム盤シート２４とする。壁面に貼り、粘着剥離するスポンジを加工した駒や碁石を使用すれば壁面で楽しめる。実施例２ではケイ線印刷しかできないが、この場合はゲーム盤の絵柄を自由にできる。同様に、後述の滑面部１７に利用できる。
【実施例４】
【００３７】  図５に示すごとく複数のゼムクリップ７を係止して結合する。
縦５センチ横１０センチの紙にゼムクリップ７を数本係止して紙に掛ける。
アクリルスポンジの１ミリ厚さシート（株式会社イノアック製粘着剥離を繰り返す自己粘着スポンジ）の片面に両面粘着テープを貼りこの面に先の紙を貼る。
すると図５のごとく、ゼムクリップ７が係止部８により係止された粘着及び剥離するシート１である本発明実施例品を得る。
このものを、ノートなどに貼って使用するときはハサミ等で切り適当な数のゼムクリップにする。先述の紙には広告やキャラクターなどを印刷してもよい。もちろん、紙をスポジンジシートより小さくすれば粘着剥離面を残せる。
木質部壁面やザラザラ紙ノートには粘着しないので、糊付きプラスチックフイルムを貼るとよい。商品化の際にアクリルスポンジの粘着面に保護フイルムとしてプラスチックフイルムが貼ってある。この保護面の反対を糊付きにして木質部壁面やザラザラ紙にも利用できるようにしてもよい。
実施例４で得たものはカレンダーやノート、フアイル手帳などにも貼って利用できる。
ゼムクリップ７に筒や箱や袋をクリップすれば、箱や袋に棒状のものや細かいものを入れることができる。【００３８】  実施例４で得た物はメモやカードの壁面保持具に利用できる。テッシュ箱も壁面に保持もできる。机の前の壁を利用した文具小物整理などができる。また掲示具、商品展示具など多方面に利用できる。
また箱をクリップで固定できるので店舗内壁面を利用した商品陳列もできる。金箔加工した表面処理で装飾美のあるシートにクリップを設けてもよい。タイルの側面等に貼り、クリップを利用し印刷物を掲示宣伝ができる。ゴミバケツの側面に貼り、袋を引っ掛けこれを補助ゴミ入れにできる。樹木や木質部でもフィルムなどを巻き付ければ本発明品を貼ったり剥がすのが簡単であるので案内掲示などに利用できる。
【実施例５】
【００３９】  図６で紙などに印刷したゲーム盤１１を粘着及び剥離するシート１にゼムクリップ７で係止して得る例を説明する。Ｂ５大サイズの紙にゼムクリップを上下各２本係止掛しアクリルスポンジの３ミリ厚さシート（株式会社イノアック製粘着剥離を繰り返す自己粘着スポンジ）の片面に両面粘着テープを貼りこの面に先の紙を貼る。すると図６のごとく、ゼムクリップ７があるクリップ付き粘着及び剥離するシート１０を得る。
クリップ付き粘着及び剥離するシート１０に、Ｂ５小サイズの碁盤ケイ線印刷艶紙のケイ線印刷体１２をクリップする。直径６ミリに打ち抜いた円形の黒と白２ミリ厚さのアクリルスポンジ（株式会社アキレス製）をスポンジ碁石１３としてゲーム盤１１で囲碁や五目並べ等ができる。
黒白貼り合わせれば裏返し遊び（リバーシ）も可能である。壁面や車運転席天井部などを利用して囲碁が遊べる。安楽椅子やベッドでくつろぎながら囲碁ができる。クリップの見える部分は紙などを貼るなどして覆えば外観がよくなる。【００４０】  トランプなどのカードをゼムクリップで保持できる。図６では一列であるが、これを多数列にすれば壁面利用のトランプ遊びや占いができる。また写真展示シートにもなる。思いでの写真を中段クリップに貼り、上段クリップから透明ビニールを垂らすこともできる。筒などもつければ造花も差し込める。本発明品は壁面の名刺整理もできる。
【実施例６】
【００４１】  図７と図８は建設機械や乗用車などの運転席のガラス枠または天井部に粘着及び剥離するシートの粘着体を取りつけるための滑面部の説明である。
図７のように枠１５に金属フイルムを貼るなどの手段で滑面部１７を設ける。この滑面部１７と粘着及び剥離するシート１を組み合わせ筆記具や紙片等を保持できる運転席構造とする。筆記具や紙片等を保持ばかりでなく、盤ゲームやカードゲームもできる。
【実施例７】
【００４２】  図９と図１０は本発明のベッド利用の説明図である。ベッドの側面または天井部に粘着及び剥離するシート１を取りつけるための滑面部を有する構造にするには前述の運転席構造と同様にすればよい。
ベッドは側面に図のように足付きの滑面体具２２を利用してもよい。滑面部１７と粘着及び剥離するシート１を組み合わせ筆記具や紙片等を保持できる構造になる。筆記具や紙片等保持や各種ゲームもできるベッド構造にできる。
図９（ａ）の滑面体具２２は掲示板のごとき板と脚から構成される。粘着及び剥離するシート１を板表面を滑らかにした滑面に貼る。
すると（ｂ）に示すように人間は前後に寝ながら学習や遊びができる。
図１０（ａ）は滑面体具２２がベッド頭部に支柱２８で設置される。このようにすれば、（ｂ）に示すように人間は横並んでに寝ながら学習や遊びができる。
【実施例８】
【００４３】  図１１は滑面体具２２の説明である。ビニール貼り鉄などの滑板の面である、滑面部３０に支持部３１がある。支持部３１はスライド調整部３２により高さを調整する。この滑面部３０に、筒あるいはクリップあるいはゲーム盤印刷体が結合した粘着及び剥離するシート１を利用する。滑面部３０はプラスチック筐体にし中に螢光灯などの照明器具を入れてもよい。
台は３３に代えてグリップなどの取付具にしベッドなどの端に取付固定してもよい。
【実施例９】
【００４４】  図１２も滑面体具２２の説明である。ビニル貼り鉄などの滑板の面である、
滑面部３０に螢光灯３５などの照明を設ける。支持部３１は蛇腹のフレキシブル支持部３４はにして高さや角度を調整する。
先述したように台は３３に代えてグリップなどの取付具にしベッドなどの端に取付固定してもよい。螢光灯３５の配置は固定したものではない。先述同様に滑面部３０をプラスチック筐体にし中に入れてもよい。
【産業上の利用可能性】
【００４５】  本発明以上説明したように貼ったり剥がせたりできるシートとのクリップ、筒ゲーム盤印刷体の結合である。名刺整理や写真整理その他文具事務産業等に利用可能性は大きい。これらばかりでなく新規な産業の利用可能性もある。
たとえば、作業車での事務需要や乗用車での触れ合い遊びなどの需要に対応できる。
また、我が国は高齢者時代になりベッドで横たわる人が多くなるが、ベッドでの事務や遊び需要に対応できる。さらに車体側面やビル外壁面や店内壁面などに貼りポスターなどをクリップ止めし広告掲示板でき広告産業にも利用できる可能性がある。以上説明したように産業上の利用可能性は大きい。
【図面の簡単な説明】
【００４６】
【図１】は正面図（実施例１）
【図２】は側面図（実施例１）
【図３】は側面図（実施例２）
【図４】は側面図（実施例３）
【図５】は正面図（実施例４）
【図６】は正面図（実施例５）
【図７】は正面図（実施例６）
【図８】は説明図（実施例６）
【図９】は説明図（実施例７）
【図１０】は説明図（実施例７）
【図１１】は正面図（実施例８）
【図１２】は正面図（実施例９）
【符号の説明】
【００４７】  １は粘着及び剥離するシート、２は筒、３はクリップ、４はキャップ、５は筆記具、６は粘着材。７はゼムクリップ、８は係止部。９はクリップ部、１０はシート。１１はゲーム盤、１２はゲーム盤印刷体、１３はスポンジ碁石。
１４は車輛窓部、１５は枠、１６ガラスである。１７は滑面部、１８は運転席、１９はフロントガラス、２０はワイパー、２１はハンドルである。
２２は滑面体具、２３はゲーム盤印刷体、２４はゲーム盤シート、２５は照明、２６は人間、２７はベッド、２８支柱、２９は係止用の紙である。３０は滑面部、３１は支持部、３２はスライド調整部、３３は台部、３４はフレキシブル支持部、３５は螢光灯である。
【図１】
2005344923.tif 000003
【図２】
2005344923.tif 000004
【図３】
2005344923.tif 000005
【図４】
2005344923.tif 000006
【図５】
2005344923.tif 000007
【図６】
2005344923.tif 000008
【図７】
2005344923.tif 000009
【図８】
2005344923.tif 000010
【図９】
2005344923.tif 000011
【図１０】
2005344923.tif 000012
【図１１】
2005344923.tif 000013
【図１２】
2005344923.tif 000014